【手続補正書】
【提出日】令和3年8月26日(2021.8.26)
【手続補正１】
【補正対象書類名】特許請求の範囲
【補正対象項目名】全文
【補正方法】変更
【補正の内容】
【特許請求の範囲】
【請求項１】
第１の曲面を有する物品を保持可能な物品保持部と、
シートを保持面に沿って保持可能なシート保持部と、
前記物品保持部と前記シート保持部を制御する制御部と、を備え、
前記シート保持部の前記保持面は、前記物品の前記第１の曲面よりも曲率半径が小さい第２の曲面であり、
前記物品保持部と前記シート保持部のうちの一方は、少なくとも、Ｚ軸方向への移動とＸ軸を回転軸とする回転と、が可能で、
前記物品保持部と前記シート保持部のうちの他方は、少なくとも、Ｙ軸方向への移動が可能で、
前記制御部は、前記第２の曲面に保持されたシートの一部と前記第１の曲面の一部を当接させた後、前記物品と前記シートのうちの一方を前記Ｘ軸を中心に回転させながら、前記物品と前記シートのうちの他方が一方に対して前記Ｙ軸と前記Ｚ軸により規定される面内において相対的に曲線補間移動するよう動かし、前記シートの他の部分を前記第１の曲面の他の部分に順次当接させるように、前記物品を保持した前記物品保持部と前記シートを保持した前記シート保持部を制御する、
ことを特徴とする自動加工装置。
【請求項２】
第１の曲面を有する物品を保持可能な物品保持部と、
シートを保持面に沿って保持可能なシート保持部と、
前記物品保持部と前記シート保持部を制御する制御部と、を備え、
前記シート保持部の前記保持面は、前記物品の前記第１の曲面よりも曲率半径が小さい第２の曲面であり、
前記物品保持部と前記シート保持部のうちの一方は、少なくとも、Ｘ軸を回転軸とする回転が可能で、
前記物品保持部と前記シート保持部のうちの他方は、少なくとも、Ｙ軸方向への移動とＺ軸方向への移動とが可能で、
前記制御部は、前記第２の曲面に保持されたシートの一部と前記第１の曲面の一部を当接させた後、前記物品と前記シートのうちの一方を前記Ｘ軸を中心に回転させながら、前記物品と前記シートのうちの他方が一方に対して前記Ｙ軸と前記Ｚ軸により規定される面内において相対的に曲線補間移動するよう動かし、前記シートの他の部分を前記第１の曲面の他の部分に順次当接させるように、前記物品を保持した前記物品保持部と前記シートを保持した前記シート保持部を制御する、
ことを特徴とする自動加工装置。
【請求項３】
第１の曲面を有する物品を保持可能な物品保持部と、
シートを保持面に沿って保持可能なシート保持部と、
前記物品保持部と前記シート保持部を制御する制御部と、を備え、
前記シート保持部の前記保持面は、前記物品の前記第１の曲面よりも曲率半径が小さい第２の曲面であり、
前記物品保持部と前記シート保持部のうちの一方は、少なくとも、Ｚ軸方向への移動と、Ｙ軸方向への移動と、Ｘ軸を回転軸とする回転と、が可能で、
前記制御部は、前記第２の曲面に保持されたシートの一部と前記第１の曲面の一部を当接させた後、前記物品と前記シートのうちの一方を前記Ｘ軸を中心に回転させながら、前記物品と前記シートのうちの他方が一方に対して前記Ｙ軸と前記Ｚ軸により規定される面内において相対的に曲線補間移動するよう動かし、前記シートの他の部分を前記第１の曲面の他の部分に順次当接させるように、前記物品を保持した前記物品保持部と前記シートを保持した前記シート保持部を制御する、
ことを特徴とする自動加工装置。
【請求項４】
前記制御部は、前記物品と前記シート保持部の前記保持面の曲率半径の差にかかわらず、前記シートと前記物品とが順次当接する長さが互いに等しくなるように、前記物品と前記シートのうちの一方を前記Ｘ軸を中心に回転させる動作と、前記物品と前記シートを前記Ｙ軸と前記Ｚ軸により規定される面内で相対的に曲線補間移動させる、
ことを特徴とする請求項１乃至３のいずれか１項に記載の自動加工装置。
【請求項５】
前記制御部は、前記物品と前記シートのうちの一方を前記Ｘ軸を中心に回転させる動作と、前記物品と前記シートとが前記Ｙ軸と前記Ｚ軸により規定される面内で相対的に曲線補間移動する動作の、開始と終了を同期させる、
ことを特徴とする請求項１乃至４のいずれか１項に記載の自動加工装置。
【請求項６】
前記第１の曲面と前記第２の曲面は、断面が円弧形状となる曲面である、
ことを特徴とする請求項１乃至５のいずれか１項に記載の自動加工装置。
【請求項７】
前記物品は、長軸方向に沿ってスリット状の切り欠きを設けた筒状の物品である、
ことを特徴とする請求項１乃至６のいずれか１項に記載の自動加工装置。
【請求項８】
前記シートを前記物品に当接させることで、前記シートを前記物品に貼り付ける、
ことを特徴とする請求項１乃至７のいずれか１項に記載の自動加工装置。
【請求項９】
前記物品と当接する前記シートの表面には、接着剤が被覆されている、
ことを特徴とする請求項８に記載の自動加工装置。
【請求項１０】
前記シートと当接する前記物品の前記曲面には、接着剤が被覆されている、
ことを特徴とする請求項８に記載の自動加工装置。
【請求項１１】
前記シートを前記物品に当接させることで、前記シートの表面に設けられた被転写材を前記物品に転写する、
ことを特徴とする請求項１乃至７のいずれか１項に記載の自動加工装置。
【請求項１２】
前記シートを加熱しながら前記物品に当接させる、
ことを特徴とする請求項１１に記載の自動加工装置。
【請求項１３】
前記シートを前記物品に押圧しながら当接させる、
ことを特徴とする請求項１１または１２に記載の自動加工装置。
【請求項１４】
第１の曲面を有する物品を、物品保持部に保持させ、
シートを、前記第１の曲面よりも曲率半径が小さい第２の曲面を有するシート保持部に保持させ、
前記シートの一部と前記第１の曲面の一部を当接させた後、前記物品と前記シートのうちの一方をＸ軸を中心に回転させながら、前記物品と前記シートのうちの他方が一方に対してＹ軸とＺ軸により規定される面内において相対的に曲線補間移動するよう動かし、前記シートの他の部分が前記第１の曲面の他の部分に順次当接するように前記物品保持部と前記シート保持部を制御する、
ことを特徴とする物品の製造方法。
【請求項１５】
前記物品保持部と前記シート保持部のうちの一方は、少なくとも、Ｚ軸方向への移動とＸ軸を回転軸とする回転とを行い、
前記物品保持部と前記シート保持部のうちの他方は、少なくとも、Ｙ軸方向への移動を行う、
ことを特徴とする請求項１４に記載の物品の製造方法。
【請求項１６】
前記物品保持部と前記シート保持部のうちの一方は、少なくとも、Ｘ軸を回転軸とする回転を行い、
前記物品保持部と前記シート保持部のうちの他方は、少なくとも、Ｙ軸方向への移動とＺ軸方向への移動とを行う、
ことを特徴とする請求項１４に記載の物品の製造方法。
【請求項１７】
前記物品保持部と前記シート保持部のうちの一方は、少なくとも、Ｚ軸方向への移動と、Ｙ軸方向への移動と、Ｘ軸を回転軸とする回転とを行う、
ことを特徴とする請求項１４に記載の物品の製造方法。
【請求項１８】
前記シートを前記物品に当接させることで、前記シートを前記物品に貼り付ける、
ことを特徴とする請求項１４乃至１７のいずれか１項に記載の物品の製造方法。
【請求項１９】
前記シートを前記物品に当接させることで、前記シートの表面に設けられた被転写材を前記物品に転写する、
ことを特徴とする請求項１４乃至１７のいずれか１項に記載の物品の製造方法。
【手続補正２】
【補正対象書類名】明細書
【補正対象項目名】発明の名称
【補正方法】変更
【補正の内容】
【発明の名称】自動加工装置、および物品の製造方法
【手続補正３】
【補正対象書類名】明細書
【補正対象項目名】０００１
【補正方法】変更
【補正の内容】
【０００１】
本発明は、シート状の部材を物品の曲面に貼り付ける作業や、シート上に形成された被転写材を物品の曲面に転写する作業を自動的に行う自動加工装置、および物品の製造方法に関する。
【手続補正４】
【補正対象書類名】明細書
【補正対象項目名】００１７
【補正方法】変更
【補正の内容】
【００１７】
また本発明は、第１の曲面を有する物品を、物品保持部に保持させ、シートを、前記第１の曲面よりも曲率半径が小さい第２の曲面を有するシート保持部に保持させ、前記シートの一部と前記第１の曲面の一部を当接させた後、前記物品と前記シートのうちの一方をＸ軸を中心に回転させながら、前記物品と前記シートのうちの他方が一方に対してＹ軸とＺ軸により規定される面内において相対的に曲線補間移動するよう動かし、前記シートの他の部分が前記第１の曲面の他の部分に順次当接するように前記物品保持部と前記シート保持部を制御する、ことを特徴とする物品の製造方法である。